(57)【要約】【課題】複数の自然生成物品を収容して封止フィルムで封止した物品収容容器を傾斜させても、粘着テープを必要とすることなく自然生成物品の脱落を防止することができる物品収容容器を提供する。【解決手段】物品収容容器３００は、自然生成物品ＮＢＧを収容する収容容器本体１５０の第一容器端部１１０および第二容器端部１２０より上方に第三容器端部３３０および第四容器端部３４０が突出している。たとえば、複数の自然生成物品ＮＢＧを収容して封止フィルムで封止した物品収容容器３００を前後方向に傾斜させても、自然生成物品ＮＢＧの重量のために、封止フィルムと第三容器端部３３０または第四容器端部３４０との間隙は、自然生成物品ＮＢＧが通過できるものとならない。【選択図】図１
2014015226.tif 000002
【特許請求の範囲】
【請求項１】
外形および寸法が不均一な複数の自然生成物品を収容して封止フィルムで封止される物品収容容器であって、
前記自然生成物品を収容する上面開口の収容容器本体と、
前記収容容器本体の開口部分の相対する位置に形成されていて前記封止フィルムの両側の第一フィルム縁部および第二フィルム縁部が個々に貼着される第一容器端部および第二容器端部と、
貼着された前記封止フィルムの張架方向の第三フィルム縁部および第四フィルム縁部と個々に相対する前記収容容器本体の開口部分に形成されていて前記第一容器端部および前記第二容器端部より上方に突出している第三容器端部および第四容器端部と、
を有する物品収容容器。
【請求項２】
前記第一容器端部および前記第二容器端部および前記第三容器端部および前記第四容器端部は、
前記収容容器本体の内部に連続して水平面と交差する内面および垂直面と交差する上面が連続的に形成されており、
前記第三容器端部および前記第四容器端部は、
前記内面および前記上面の境界部分が円滑に湾曲した形状に形成されている、
請求項１に記載の物品収容容器。
【請求項３】
前記第三容器端部および前記第四容器端部は、
前記上面が平面状に形成されている、
請求項１または２に記載の物品収容容器。
【請求項４】
前記第三容器端部および前記第四容器端部は、
前記上面が円弧状の湾曲面状に形成されている、
請求項１または２に記載の物品収容容器。
【請求項５】
前記収容容器本体は、相対する一対の長辺および相対する一対の短辺を有する長方形状の平面形状に形成されており、
前記第一容器端部および前記第二容器端部は、前記収容容器本体の一対の前記長辺に個々に形成されており、
前記第三容器端部および前記第四容器端部は、前記収容容器本体の一対の前記短辺に個々に形成されている、
請求項１ないし４の何れか一項に記載の物品収容容器。
【発明の詳細な説明】
【技術分野】
【０００１】
この発明は、外形および寸法が不均一な複数の自然生成物品を収容し、封止フィルムで封止される物品収容容器、に関するものである。
【背景技術】
【０００２】
イチゴやブドウなどの果物、ミニトマトなどの野菜、球根、などの外形および寸法が不均一な複数の自然生成物品を収容して販売するために、物品収容容器が利用されている（たとえば、特許文献１，２および非特許文献１、参照）。このような物品収容容器１００の一従来例を、図２５ないし図３１を参照して以下に説明する。
【０００３】
なお、図２５は、一従来例の物品収容容器の構造を示す斜視図、図２６は、物品収容容器にイチゴを収容した状態を示す斜視図、図２７は正面図、図２８は、イチゴを収容した物品収容容器に封止フィルムを貼着する状態を示す分解斜視図、図２９は模式的な正面図、図３０は、イチゴを収容した物品収容容器に封止フィルムを貼着した状態を示す斜視図、図３１は側面図、図３２は、イチゴを収容して封止フィルムを貼着した物品収容容器を傾斜させた状態を示す模式的な側面図、図３３は、イチゴを収容して封止フィルムを貼着した物品収容容器に粘着テープを貼着する状態を示す分解斜視図、図３４は、イチゴを収容して封止フィルムを貼着した物品収容容器に粘着テープを貼着した状態を示す斜視図、である。
【０００４】
ここで例示する物品収容容器１００は、図２５ないし図３１に示すように、全体的に扁平な上面開口の直方体状に形成されている。より詳細には、この物品収容容器１００は、上面開口の収容容器本体１５０を有しており、図２６ないし図３１に示すように、この収容容器本体１５０でイチゴなどの複数の自然生成物品ＮＢＧ（natural Bcomd Goods）を収容する。
【０００５】
収容容器本体１５０は、連続する四辺として、相対する一対の長辺、および、相対する一対の短辺、を有する略長方形の平面形状に形成されており、図２７および図３１に示すように、上部より下部が縮小した角錐台状に形成されている。
【０００６】
収容容器本体１５０の四辺の各々には、前端部である第一容器端部１１０および後端部である第二容器端部１２０および左端部である第三容器端部１３０および右端部である第四容器端部１４０が、個々に形成されている。
【０００７】
第一容器端部１１０および第二容器端部１２０は、収容容器本体１５０の左右一対の長辺に個々に形成されており、第三容器端部１３０および第四容器端部１４０は、収容容器本体１５０の前後一対の短辺に個々に形成されている。
【０００８】
第一容器端部１１０および第二容器端部１２０および第三容器端部１３０および第四容器端部１４０は、収容容器本体１５０の内部に連続して水平面と傾斜して交差する内面１１１，１２１，１３１，１４１、および、垂直面と交差する略水平な上面１１２，１２２，１３２，１４２、および、収容容器本体１５０の外部に位置して水平面と傾斜して交差する外面１１３，１２３，１３３，１４３、が連続的に形成されている。
【０００９】
つまり、第一容器端部１１０および第二容器端部１２０および第三容器端部１３０および第四容器端部１４０は、収容容器本体１５０の内側面から外側まで、下側に拡開したコ字状の断面形状に連続的に形成されている。
【００１０】
そして、上述のような断面形状の第一容器端部１１０および第二容器端部１２０および第三容器端部１３０および第四容器端部１４０が、収容容器本体１５０の開口部分１５８の外側を一周する環状に連続している。
【００１１】
このため、従来の物品収容容器１００は、極薄の無色透明で軟質なＰＥＴ（Polyethylene Terephthalate）などで形成されているが、コ字状の断面形状で環状に連続する第一容器端部１１０および第二容器端部１２０および第三容器端部１３０および第四容器端部１４０により、充分な強度が確保されている。
【００１２】
さらに、従来の物品収容容器１００は、収容容器本体１５０の四つの側部１５１〜１５４から底部１５５まで、複数の補強リブ１５６が形成されており、底部１５５にも、二重の矩形の環状の補強リブ１５７が形成されている。
【００１３】
このため、物品収容容器１００は、前述のように極薄の無色透明で軟質なＰＥＴで形成されているが、重量のあるイチゴなどの複数の自然生成物品ＮＢＧを収容して保持する強度が確保されている。
【００１４】
上述のような構造の物品収容容器１００でイチゴなどの自然生成物品ＮＢＧを収容する場合、図２６および図２７および図３１に示すように、収容容器本体１５０に開口部分１５８から複数の自然生成物品ＮＢＧを、前後方向に三個、左右方向に五個、上下方向に二個、などと収容する。
【００１５】
このとき、消費者の購買意欲を向上させるため、図２７および図３１に示すように、物品収容容器１００の開口部分１５８から上方に、収容した上段の複数の自然生成物品ＮＢＧが突出するようにする。
【００１６】
このような状態で、物品収容容器１００に収容した複数の自然生成物品ＮＢＧを封止するため、図２８および図２９に示すように、封止フィルム２００を開口部分１５８に貼着する。
【００１７】
この封止フィルム２００は、無色透明で柔軟であるが伸縮性が低い、ＯＰＰ（biaxially Oriented Polypropylene）などの樹脂からなり、左右両端の下面に粘着性の両面テープ２５０が貼着されている。
【００１８】
この封止フィルム２００は、前後方向が物品収容容器１００と略同幅で、左右方向が物品収容容器１００より長大な、矩形である略長方形の平面形状に形成されている。このため、この封止フィルム２００は、左縁部である第一フィルム縁部２１０、右縁部である第二フィルム縁部２２０、前縁部である第三フィルム縁部２３０、後縁部である第四フィルム縁部２４０、を四辺として有する。
【００１９】
図３０および図３１に示すように、封止フィルム２００の第一フィルム縁部２１０は、物品収容容器１００の第一容器端部１１０に両面テープ２５０で貼着され、第二フィルム縁部２２０は、第二容器端部１２０に両面テープ２５０で貼着される。
【００２０】
このように貼着されることにより、封止フィルム２００の第三フィルム縁部２３０は、物品収容容器１００の第三容器端部１３０と対向し、第四フィルム縁部２４０は、第四容器端部１４０と対向する。
【００２１】
これで、図３０に示すように、物品収容容器１００に収容された複数の自然生成物品ＮＢＧが、封止フィルム２００により封止されることになる。
【先行技術文献】
【特許文献】
【００２２】
【特許文献１】実開平０３−１１６１６号公報
【特許文献２】特開平０９−５８７４３号公報
【非特許文献】
【００２３】
【非特許文献１】“旬太のブログ”、［２０１２年０６月０７日検索］インターネット<ＵＲＬ：http://www.shunta-miyagi.com/archives/2008/10/post-37.php>
【発明の概要】
【発明が解決しようとする課題】
【００２４】
上述のように無色透明な物品収容容器１００にイチゴなどの複数の自然生成物品ＮＢＧを山盛りに収容し、無色透明な封止フィルム２００で封止することにより、収容した複数の自然生成物品ＮＢＧを多量に美麗に陳列して消費者の購買意欲を促進させることができる。
【００２５】
なお、イチゴなどの自然生成物品ＮＢＧは一般的に軟弱であるため、封止フィルム２００は、自然生成物品ＮＢＧを圧迫しないように物品収容容器１００に張架される。このため、図３０に示すように、物品収容容器１００の第三容器端部１３０および第四容器端部１４０と、封止フィルム２００の第三フィルム縁部２３０および第四フィルム縁部２４０とは、台形状の間隙を介して対向することになる。
【００２６】
ただし、前述のように封止フィルム２００は伸縮性は低いものの柔軟であり、イチゴなどの自然生成物品ＮＢＧは重量がある。このため、図３２に示すように、複数の自然生成物品ＮＢＧを収容して封止フィルム２００で封止した物品収容容器１００を前後方向に傾斜させると、自然生成物品ＮＢＧの重量のために、第三容器端部１３０と第三フィルム縁部２３０との間隙が拡大することがある。この場合、図示するように、第三容器端部１３０と第三フィルム縁部２３０との間隙から自然生成物品ＮＢＧが脱落することがある。
【００２７】
これを防止するため、一部の店舗などでは、図３３および図３４に示すように、物品収容容器１００の第三容器端部１３０および第四容器端部１４０と、封止フィルム２００の第三フィルム縁部２３０および第四フィルム縁部２４０とに、粘着テープ２６０を貼着している。しかしながら、これでは店舗にて粘着テープ２６０を手作業で貼着する作業が必要となり、その作業が煩雑で人的コストが増大することになる。
【００２８】
なお、特に重量がある自然生成物品ＮＢＧであるミニトマトなどでは、上述のような脱落を防止するため、最初から物品収容容器１００の第三容器端部１３０および第四容器端部１４０と、封止フィルム２００の第三フィルム縁部２３０および第四フィルム縁部２４０とに、粘着テープ２６０を貼着している。
【００２９】
しかしながら、この粘着テープ２６０が貼着される物品収容容器１００の第三容器端部１３０および第四容器端部１４０の外面１３３，１４３の上下幅は充分ではないため、粘着テープ２６０を容易に確実に貼着することが困難である。
【００３０】
本発明は上述のような課題に鑑みてなされたものであり、複数の自然生成物品を収容して封止フィルムで封止した物品収容容器を傾斜させても、粘着テープを必要とすることなく自然生成物品の脱落を防止することができ、なおかつ、特に重量がある自然生成物品の脱落を防止するために粘着テープを貼着する場合でも、その粘着テープを容易に確実に貼着することができる、物品収容容器を提供するものである。
【課題を解決するための手段】
【００３１】
上述のような課題を解決するため、本発明の物品収容容器は、外形および寸法が不均一な複数の自然生成物品を収容して封止フィルムで封止される物品収容容器であって、前記自然生成物品を収容する上面開口の収容容器本体と、前記収容容器本体の開口部分の相対する位置に形成されていて前記封止フィルムの両側の第一フィルム縁部および第二フィルム縁部が個々に貼着される第一容器端部および第二容器端部と、貼着された前記封止フィルムの張架方向の第三フィルム縁部および第四フィルム縁部と個々に相対する前記収容容器本体の開口部分に形成されていて前記第一容器端部および前記第二容器端部より上方に突出している第三容器端部および第四容器端部と、を有する。
【００３２】
したがって、この物品収容容器では、収容容器本体は、上面開口に形成されていて自然生成物品を収容する。第一容器端部および第二容器端部は、収容容器本体の開口部分の相対する位置に形成されており、封止フィルムの両側の第一フィルム縁部および第二フィルム縁部が個々に貼着される。
【００３３】
第三容器端部および第四容器端部は、貼着された封止フィルムの張架方向の第三フィルム縁部および第四フィルム縁部と個々に相対する収容容器本体の開口部分に形成されており、第一容器端部および第二容器端部より上方に突出している。
【００３４】
このため、本発明の物品収容容器に、従来と同様にイチゴなどの複数の自然生成物品を山盛りに収容して封止フィルムで圧迫しないように封止した場合、封止フィルムの第三フィルム縁部および第四フィルム縁部とは、第三容器端部および第四容器端部の方向から、台形状に視認される状態に張架される。
【００３５】
しかしながら、この台形状に張架される封止フィルムの第三フィルム縁部および第四フィルム縁部とに対向する、第三容器端部および第四容器端部は、第一容器端部および第二容器端部より上方に突出している。
【００３６】
このため、たとえば、複数の自然生成物品を収容して封止フィルムで封止した物品収容容器を前後方向に傾斜させても、自然生成物品の重量のために、第三フィルム縁部または第四フィルム縁部と第三容器端部または第四容器端部との間隙は、自然生成物品が通過できるものとならない。
【００３７】
したがって、複数の自然生成物品を収容して封止フィルムで封止した物品収容容器を前後方向に傾斜させても、第三フィルム縁部または第四フィルム縁部と第三容器端部または第四容器端部との間隙から、自然生成物品が脱落することを良好に防止することができる。
【００３８】
また、特に重量がある自然生成物品であるミニトマトなどでは、上述のような脱落を防止するため、最初から物品収容容器の第三容器端部および第四容器端部と、封止フィルムの第三フィルム縁部および第四フィルム縁部とに、粘着テープを貼着している。
【００３９】
一方、この物品収容容器では、第三容器端部および第四容器端部が上方に突出しているため、その外面の上下幅が充分に確保されている。このため、上述のように物品収容容器の第三容器端部および第四容器端部と、封止フィルムの第三フィルム縁部および第四フィルム縁部とに、粘着テープを貼着する場合でも、この粘着テープが容易に確実に貼着される。
【００４０】
上述のような物品収容容器において、さらに本発明では、前記第一容器端部および前記第二容器端部および前記第三容器端部および前記第四容器端部は、前記収容容器本体の内部に連続して水平面と交差する内面および垂直面と交差する上面が連続的に形成されており、前記第三容器端部および前記第四容器端部は、前記内面および前記上面の境界部分が円滑に湾曲した形状に形成されている。
【００４１】
したがって、この物品収容容器では、収容容器本体の内部に連続する第三容器端部および第四容器端部の内面および上面の境界部分が円滑に連続しているので、たとえば、複数の自然生成物品を収容して封止フィルムで封止した物品収容容器を前後方向に傾斜させたときに、自然生成物品が、第三容器端部または第四容器端部の円滑に連続している内面および上面の境界部分に当接する。
【００４２】
上述のような物品収容容器において、さらに本発明では、前記第三容器端部および前記第四容器端部は、前記上面が平面状に形成されている。したがって、この物品収容容器では、製造過程において上下逆様に載置してスタックする場合でも、このような状態で突出した下面となる第三容器端部および第四容器端部の上面が平面状なので、安定に載置してスタックされる。
【００４３】
上述のような物品収容容器において、さらに本発明では、前記第三容器端部および前記第四容器端部は、前記上面が円弧状の湾曲面状に形成されている。したがって、この物品収容容器では、複数の自然生成物品を収容した収容容器本体を封止する封止フィルムが張架方向で円弧状に湾曲しても、第三フィルム縁部または第四フィルム縁部と第三容器端部または第四容器端部との間隙を最小とすることができる。
【００４４】
上述のような物品収容容器において、さらに本発明では、前記収容容器本体は、相対する一対の長辺および相対する一対の短辺を有する長方形状の平面形状に形成されており、前記第一容器端部および前記第二容器端部は、前記収容容器本体の一対の前記長辺に個々に形成されており、前記第三容器端部および前記第四容器端部は、前記収容容器本体の一対の前記短辺に個々に形成されている。
【００４５】
したがって、この物品収容容器では、収容容器本体の第一容器端部および第二容器端部に、第一フィルム縁部および第二フィルム縁部が貼着される封止フィルムは、収容容器本体の短辺方向に張架される。このため、封止フィルムの第三フィルム縁部および第四フィルム縁部と、第三容器端部および第四容器端部との間隙が必然的に最小となる。
【発明の効果】
【００４６】
本発明に記載の物品収容容器では、第三容器端部および第四容器端部は、貼着された封止フィルムの張架方向の第三フィルム縁部および第四フィルム縁部と個々に相対する収容容器本体の開口部分に形成されており、第一容器端部および第二容器端部より上方に突出している。
【００４７】
このため、本発明の物品収容容器に、従来と同様にイチゴなどの複数の自然生成物品を山盛りに収容して封止フィルムで圧迫しないように封止した場合、封止フィルムの第三フィルム縁部および第四フィルム縁部とは、第三容器端部および第四容器端部の方向から、台形状に視認される状態に張架される。
【００４８】
しかしながら、この台形状に張架される封止フィルムの第三フィルム縁部および第四フィルム縁部とに対向する、第三容器端部および第四容器端部は、第一容器端部および第二容器端部より上方に突出している。
【００４９】
このため、たとえば、複数の自然生成物品を収容して封止フィルムで封止した物品収容容器を前後方向に傾斜させても、自然生成物品の重量のために、第三フィルム縁部または第四フィルム縁部と第三容器端部または第四容器端部との間隙は、自然生成物品が通過できるものとならない。
【００５０】
したがって、複数の自然生成物品を収容して封止フィルムで封止した物品収容容器を前後方向に傾斜させても、第三フィルム縁部または第四フィルム縁部と第三容器端部または第四容器端部との間隙から、自然生成物品が脱落することを良好に防止することができる。
【００５１】
このため、このような自然生成物品の脱落を防止するために、物品収容容器の第三容器端部および第四容器端部と、封止フィルムの第三フィルム縁部および第四フィルム縁部とに、粘着テープを貼着する煩雑な作業も必要なく、このような作業による人的コストの増大も防止することができる。
【００５２】
また、特に重量がある自然生成物品であるミニトマトなどでは、上述のような脱落を防止するため、最初から物品収容容器の第三容器端部および第四容器端部と、封止フィルムの第三フィルム縁部および第四フィルム縁部とに、粘着テープを貼着している。
【００５３】
一方、この物品収容容器では、第三容器端部および第四容器端部が上方に突出しているため、その外面の上下幅が充分に確保されている。このため、上述のように物品収容容器の第三容器端部および第四容器端部と、封止フィルムの第三フィルム縁部および第四フィルム縁部とに、粘着テープを貼着する場合でも、この粘着テープを容易に確実に貼着することができる。
【００５４】
上述のような物品収容容器において、さらに本発明では、収容容器本体の内部に連続する第三容器端部および第四容器端部の内面および上面の境界部分が円滑に連続している。したがって、たとえば、複数の自然生成物品を収容して封止フィルムで封止した物品収容容器を前後方向に傾斜させたときに、自然生成物品が、第三容器端部または第四容器端部の円滑に連続している内面および上面の境界部分に当接する。このため、落下防止のために第三容器端部および第四容器端部を上方に突出させていながらも、イチゴなどの柔軟な自然生成物品の損傷を防止することができる。
【００５５】
上述のような物品収容容器において、さらに本発明では、製造過程において物品収容容器を上下逆様に載置してスタックする場合でも、このような状態で突出した下面となる第三容器端部および第四容器端部の上面が平面状なので、安定に載置してスタックすることができる。
【００５６】
上述のような物品収容容器において、さらに本発明では、複数の自然生成物品を収容した収容容器本体を封止する封止フィルムが張架方向で円弧状に湾曲しても、第三フィルム縁部または第四フィルム縁部と第三容器端部または第四容器端部との間隙を最小とすることができるので、自然生成物品が脱落することを良好に防止することができる。
【００５７】
上述のような物品収容容器において、さらに本発明では、収容容器本体の第一容器端部および第二容器端部に、第一フィルム縁部および第二フィルム縁部が貼着される封止フィルムは、収容容器本体の短辺方向に張架される。このため、封止フィルムの第三フィルム縁部および第四フィルム縁部と、第三容器端部および第四容器端部との間隙を必然的に最小とすることができ、自然生成物品の脱落を良好に防止することができる。
【図面の簡単な説明】
【００５８】
【図１】本発明の実施の形態における物品収容容器の構造を示す斜視図である。
【図２】本発明の実施の形態における物品収容容器の構造を示し、(ａ)は平面図、(ｂ)は底面図、である。
【図３】本発明の実施の形態における物品収容容器の構造を示す側面図である。
【図４】本発明の実施の形態における物品収容容器の構造を示す縦断側面図である。
【図５】本発明の実施の形態における物品収容容器の構造を示す正面図である。
【図６】本発明の実施の形態における物品収容容器の構造を示す縦断正面図である。
【図７】本発明の実施の形態における物品収容容器に自然生成物品であるイチゴを収容した状態を示す斜視図である。
【図８】本発明の実施の形態における物品収容容器にイチゴを収容した状態を示す正面図である。
【図９】本発明の実施の形態におけるイチゴを収容した物品収容容器に封止フィルムを貼着する状態を示す分解斜視図である。
【図１０】本発明の実施の形態におけるイチゴを収容した物品収容容器に封止フィルムを貼着する状態を示す模式的な正面図である。
【図１１】本発明の実施の形態におけるイチゴを収容した物品収容容器に封止フィルムを貼着した状態を示す斜視図である。
【図１２】本発明の実施の形態におけるイチゴを収容した物品収容容器に封止フィルムを貼着した状態を示す側面図である。
【図１３】本発明の実施の形態におけるイチゴを収容して封止フィルムを貼着した物品収容容器を傾斜させた状態を示す模式的な側面図である。
【図１４】本発明の実施の形態における自然生成物品であるミニトマトを収容して封止フィルムを貼着した物品収容容器に粘着テープを貼着する状態を示す分解斜視図である。
【図１５】本発明の実施の形態におけるミニトマトを収容して封止フィルムを貼着した物品収容容器に粘着テープを貼着した状態を示す斜視図である。
【図１６】本発明の実施の形態の一の変形例における物品収容容器の構造を示す斜視図である。
【図１７】本発明の実施の形態の一の変形例における物品収容容器の構造を示し、(ａ)は平面図、(ｂ)は底面図、である。
【図１８】本発明の実施の形態の一の変形例における物品収容容器の構造を示す側面図である。
【図１９】本発明の実施の形態の一の変形例における物品収容容器の構造を示す縦断側面図である。
【図２０】本発明の実施の形態の一の変形例における物品収容容器の構造を示す正面図である。
【図２１】本発明の実施の形態の一の変形例における物品収容容器の構造を示す縦断正面図である。
【図２２】本発明の実施の形態の、他の変形例における物品収容容器の構造を示す斜視図である。
【図２３】本発明の実施の形態の、さらに他の変形例における物品収容容器の構造を示す斜視図である。
【図２４】本発明の実施の形態の、さらに他の変形例における物品収容容器の構造を示す斜視図である。
【図２５】一従来例の物品収容容器の構造を示す斜視図である。
【図２６】一従来例の物品収容容器にイチゴを収容した状態を示す斜視図である。
【図２７】一従来例の物品収容容器にイチゴを収容した状態を示す正面図である。
【図２８】一従来例のイチゴを収容した物品収容容器に封止フィルムを貼着する状態を示す分解斜視図である。
【図２９】一従来例のイチゴを収容した物品収容容器に封止フィルムを貼着する状態を示す模式的な正面図である。
【図３０】一従来例のイチゴを収容した物品収容容器に封止フィルムを貼着した状態を示す斜視図である。
【図３１】一従来例のイチゴを収容した物品収容容器に封止フィルムを貼着した状態を示す側面図である。
【図３２】一従来例のイチゴを収容して封止フィルムを貼着した物品収容容器を傾斜させた状態を示す模式的な側面図である。
【図３３】一従来例のイチゴを収容して封止フィルムを貼着した物品収容容器に粘着テープを貼着する状態を示す分解斜視図である。
【図３４】一従来例のイチゴを収容して封止フィルムを貼着した物品収容容器に粘着テープを貼着した状態を示す斜視図である。
【発明を実施するための形態】
【００５９】
つぎに、本発明の実施の形態に関して図１ないし図２１を参照して以下に説明する。なお、本実施の形態の物品収容容器３００に関して、一従来例として前述した物品収容容器１００と同一の部分は、同一の名称および符号を使用する。
【００６０】
さらに、本実施の形態では図示するように鉛直方向となる上下以外に、水平方向で直交する前後左右の方向も規定して説明する。しかし、これは構成要素の相対関係を簡単に説明するために便宜的に規定するものである。したがって、本発明を実施する製品の製造時や使用時の方向を限定するものではない。
【００６１】
なお、図１は、本発明の実施の形態における物品収容容器の構造を示す斜視図、図２は平面図および底面図、図３は側面図、図４は縦断側面図、図５は正面図、図６は縦断正面図、図７は、物品収容容器に自然生成物品であるイチゴを収容した状態を示す斜視図、図８は、物品収容容器にイチゴを収容した状態を示す正面図、図９は、イチゴを収容した物品収容容器に封止フィルムを貼着する状態を示す分解斜視図、図１０は、イチゴを収容した物品収容容器に封止フィルムを貼着する状態を示す模式的な正面図、図１１は、イチゴを収容した物品収容容器に封止フィルムを貼着した状態を示す斜視図、図１２は、イチゴを収容した物品収容容器に封止フィルムを貼着した状態を示す側面図、図１３は、イチゴを収容して封止フィルムを貼着した物品収容容器を傾斜させた状態を示す模式的な側面図、図１４は、自然生成物品であるミニトマトを収容して封止フィルムを貼着した物品収容容器に粘着テープを貼着する状態を示す分解斜視図、図１５は、ミニトマトを収容して封止フィルムを貼着した物品収容容器に粘着テープを貼着した状態を示す斜視図、である。
【００６２】
また、図１６は、本発明の実施の形態の一の変形例における物品収容容器の構造を示す斜視図、図１７は、本発明の実施の形態の一の変形例における物品収容容器の構造を示す平面図、図１８は、本発明の実施の形態の一の変形例における物品収容容器の構造を示す側面図、図１９は、本発明の実施の形態の一の変形例における物品収容容器の構造を示す縦断側面図、図２０は、本発明の実施の形態の一の変形例における物品収容容器の構造を示す正面図、図２１は、本発明の実施の形態の一の変形例における物品収容容器の構造を示す縦断正面図、である。
【００６３】
さらに、図２２は、本発明の実施の形態の他の変形例における物品収容容器の構造を示す斜視図、図２３は、本発明の実施の形態の、さらに他の変形例における物品収容容器の構造を示す斜視図、図２４は、本発明の実施の形態の、さらに他の変形例における物品収容容器の構造を示す斜視図、である。
【００６４】
本実施の形態の物品収容容器３００も、図１ないし図６に示すように、全体的に扁平な上面開口の直方体状に形成されている。したがって、本実施の形態の物品収容容器３００も、上面開口の収容容器本体１５０を有しており、図７ないし図１２に示すように、この収容容器本体１５０でイチゴなどの複数の自然生成物品ＮＢＧを収容する。
【００６５】
収容容器本体１５０は、連続する四辺として、相対する一対の長辺、および、相対する一対の短辺、を有する略長方形の平面形状に形成されており、図３ないし図６に示すように、上部より下部が縮小した角錐台状に形成されている。
【００６６】
収容容器本体１５０の四辺の各々には、前端部である第一容器端部１１０および後端部である第二容器端部１２０および左端部である第三容器端部３３０および右端部である第四容器端部３４０が、個々に形成されている。
【００６７】
第一容器端部１１０および第二容器端部１２０は、収容容器本体１５０の左右一対の長辺に個々に形成されており、第三容器端部３３０および第四容器端部３４０は、収容容器本体１５０の前後一対の短辺に個々に形成されている。
【００６８】
第一容器端部１１０および第二容器端部１２０および第三容器端部３３０および第四容器端部３４０は、収容容器本体１５０の内部に連続して水平面と傾斜して交差する内面１１１，１２１，３３１，３４１、および、垂直面と交差する略水平な上面１１２，１２２，３３２，３４２、および、収容容器本体１５０の外部に位置して水平面と傾斜して交差する外面１１３，１２３，１３３，３４３、が連続的に形成されている。
【００６９】
つまり、第一容器端部１１０および第二容器端部１２０および第三容器端部３３０および第四容器端部３４０は、収容容器本体１５０の内側面から外側まで、下側に拡開したコ字状の断面形状に連続的に形成されている。
【００７０】
そして、上述のような断面形状の第一容器端部１１０および第二容器端部１２０および第三容器端部３３０および第四容器端部３４０が、収容容器本体１５０の開口部分１５８の外側を一周する環状に連続している。
【００７１】
ただし、本実施の形態の物品収容容器３００では、図１および図７などに示すように、収容容器本体１５０の前後一対の短辺に個々に形成されている第三容器端部３３０および第四容器端部３４０が、左右一対の長辺に個々に形成されている第一容器端部１１０および第二容器端部１２０より上方に突出している。
【００７２】
より詳細には、第三容器端部３３０および第四容器端部３４０は、図５および図６に示すように、台形状の正面形状に形成されており、その左右両側は、上面上面３３２，３４２から、長方形状の平面形状の収容容器本体１５０の角部まで、円滑に連続した凸アールと凹アールとで形成されている。
【００７３】
さらに、図４に示すように、第三容器端部３３０および第四容器端部３４０の内面３３１,３４１および上面３３２，３４２の境界部分が、円滑に湾曲した凸アールで形成されている。ただし、このような第三容器端部３３０および第四容器端部３４０の上面３３２，３４２は、平面状に形成されている。
【００７４】
本実施の形態の物品収容容器３００も、極薄の無色透明で軟質なＰＥＴなどで形成されているが、前述のように第一容器端部１１０および第二容器端部１２０および第三容器端部３３０および第四容器端部３４０が、コ字状の断面形状で収容容器本体１５０の開口部分１５８の外側を一周する環状に連続しているので、充分な強度が確保されている。
【００７５】
さらに、本実施の形態の物品収容容器３００も、収容容器本体１５０の四つの側部１５１〜１５４から底部１５５まで、複数の補強リブ１５６が形成されており、底部１５５にも、二重の矩形の環状の補強リブ１５７が形成されている。
【００７６】
このため、物品収容容器３００は、前述のように極薄の無色透明で軟質なＰＥＴで形成されているが、重量のあるイチゴなどの複数の自然生成物品ＮＢＧを収容して保持する強度が確保されている。
【００７７】
上述のような構成において、本実施の形態の物品収容容器３００でイチゴなどの自然生成物品ＮＢＧを収容する場合、図７ないし図１２に示すように、収容容器本体１５０に開口部分１５８から複数の自然生成物品ＮＢＧを、前後方向に三個、左右方向に五個、上下方向に二個、などと収容する。
【００７８】
このとき、消費者の購買意欲を向上させるため、図７および図８等に示すように、物品収容容器３００の開口部分１５８から上方に、収容した上段の複数の自然生成物品ＮＢＧが突出するようにする。
【００７９】
このような状態で、物品収容容器３００に収容した複数の自然生成物品ＮＢＧを封止するため、図９および図１０に示すように、封止フィルム２００を開口部分１５８に貼着する。この封止フィルム２００は、無色透明で柔軟であるが伸縮性が低い、ＯＰＰなどの樹脂からなり、左右両端の下面に粘着性の両面テープ２５０が貼着されている。
【００８０】
この封止フィルム２００は、前後方向が物品収容容器１００と略同幅で、左右方向が物品収容容器１００より長大な、矩形である略長方形の平面形状に形成されている。このため、この封止フィルム２００は、左縁部である第一フィルム縁部２１０、右縁部である第二フィルム縁部２２０、前縁部である第三フィルム縁部２３０、後縁部である第四フィルム縁部２４０、を四辺として有する。
【００８１】
図１１および図１２に示すように、封止フィルム２００の第一フィルム縁部２１０は、物品収容容器３００の第一容器端部１１０に両面テープ２５０で貼着され、第二フィルム縁部２２０は、第二容器端部１２０に両面テープ２５０で貼着される。
【００８２】
このように貼着されることにより、封止フィルム２００の第三フィルム縁部２３０は、物品収容容器３００の第三容器端部３３０と対向し、第四フィルム縁部２４０は、第四容器端部３４０と対向する。
【００８３】
これで、物品収容容器３００に収容された複数の自然生成物品ＮＢＧが、封止フィルム２００により封止されることになる。このように無色透明な物品収容容器３００にイチゴなどの複数の自然生成物品ＮＢＧを山盛りに収容し、無色透明な封止フィルム２００で封止することにより、収容した複数の自然生成物品ＮＢＧを多量に美麗に陳列して消費者の購買意欲を促進させることができる。
【００８４】
なお、イチゴなどの自然生成物品ＮＢＧは一般的に軟弱であるため、封止フィルム２００は、自然生成物品ＮＢＧを圧迫しないように物品収容容器３００に張架される。このため、図１１に示すように、封止フィルム２００は、前後方向から視認したときに台形状に張架されることになる。
【００８５】
そして、前述のように封止フィルム２００は伸縮性は低いものの柔軟であり、イチゴなどの自然生成物品ＮＢＧは重量がある。このため、図１３に示すように、複数の自然生成物品ＮＢＧを収容して封止フィルム２００で封止した物品収容容器３００を前後方向に傾斜させると、自然生成物品ＮＢＧの重量のために第三フィルム縁部２３０が押し上げられることがある。
【００８６】
しかしながら、本実施の形態の物品収容容器３００では、第三フィルム縁部２３０と対向する第三容器端部３３０が、前後方向から視認したときに台形状に上方に突出している。同様に、第四フィルム縁部２４０と対向する第四容器端部３４０も、前後方向から視認したときに台形状に上方に突出している。
【００８７】
このため、複数の自然生成物品ＮＢＧを収容して封止フィルム２００で封止した物品収容容器３００を前後方向に傾斜させても、自然生成物品ＮＢＧの重量のために、第三フィルム縁部２３０または第四フィルム縁部２４０と第三容器端部３３０または第四容器端部３４０との間隙は、自然生成物品ＮＢＧが通過できるものとならない。
【００８８】
したがって、複数の自然生成物品ＮＢＧを収容して封止フィルム２００で封止した物品収容容器３００を前後方向に傾斜させても、第三フィルム縁部２３０または第四フィルム縁部２４０と第三容器端部３３０または第四容器端部３４０との間隙から、自然生成物品ＮＢＧが脱落することを良好に防止することができる。
【００８９】
このため、このような自然生成物品ＮＢＧの脱落を防止するために、物品収容容器３００の第三容器端部３３０および第四容器端部３４０と、封止フィルム２００の第三フィルム縁部２３０および第四フィルム縁部２４０とに、粘着テープを貼着する煩雑な作業も必要なく、このような作業による人的コストの増大も防止することができる。
【００９０】
なお、特に重量がある自然生成物品ＮＢＧであるミニトマトなどでは、上述のような脱落を防止するため、図１４および図１５に示すように、最初から物品収容容器３００の第三容器端部３３０および第四容器端部３４０と、封止フィルム２００の第三フィルム縁部２３０および第四フィルム縁部２４０とに、粘着テープ２６０を貼着している。
【００９１】
一方、本実施の形態の物品収容容器３００では、第三容器端部３３０および第四容器端部３４０が上方に突出しているため、その外面３３３，３４３の上下幅が充分に確保されている。
【００９２】
このため、上述のように物品収容容器３００の第三容器端部３３０および第四容器端部３４０と、封止フィルム２００の第三フィルム縁部２３０および第四フィルム縁部２４０とに、粘着テープ２６０を貼着する場合でも、この粘着テープ２６０を容易に確実に貼着することができる。
【００９３】
しかも、本実施の形態の物品収容容器３００では、第三容器端部３３０および第四容器端部３４０は、内面３３１，３４１および上面３３２，３４２の境界部分が円滑に湾曲した形状に形成されている。
【００９４】
したがって、複数の自然生成物品ＮＢＧを収容して封止フィルム２００で封止した物品収容容器３００を前後方向に傾斜させたときに、自然生成物品ＮＢＧが、第三容器端部３３０または第四容器端部３４０の円滑に連続している内面３３１，３４１および上面３３２，３４２の境界部分に当接する。
【００９５】
このため、落下防止のために第三容器端部３３０および第四容器端部３４０を上方に突出させていながらも、イチゴなどの柔軟な自然生成物品ＮＢＧの損傷を防止することができる。
【００９６】
さらに、本実施の形態の物品収容容器３００では、第三容器端部３３０および第四容器端部３４０の上面３３２，３４２が平面状に形成されている。したがって、製造過程において物品収容容器３００を上下逆様に載置してスタックする場合でも、このような状態で下面となる第三容器端部３３０および第四容器端部３４０の上面３３２，３４２が平面状なので、安定に載置してスタックすることができる。
【００９７】
しかも、本実施の形態の物品収容容器３００では、収容容器本体１５０は、相対する一対の長辺および相対する一対の短辺を有する長方形状の平面形状に形成されており、第一容器端部１１０および第二容器端部１２０は、収容容器本体１５０の一対の長辺に個々に形成されており、第三容器端部３３０および第四容器端部３４０は、収容容器本体１５０の一対の短辺に個々に形成されている。
【００９８】
したがって、収容容器本体１５０の第一容器端部１１０および第二容器端部１２０に、第一フィルム縁部２１０および第二フィルム縁部２２０が貼着される封止フィルム２００は、収容容器本体１５０の短辺方向に張架される。
【００９９】
このため、封止フィルム２００の第三フィルム縁部２３０および第四フィルム縁部２４０と、第三容器端部３３０および第四容器端部３４０との間隙は必然的に最小となり、自然生成物品ＮＢＧの脱落を良好に防止することができる。
【０１００】
なお、本発明は本実施の形態に限定されるものではなく、その要旨を逸脱しない範囲で各種の変形を許容する。たとえば、上記形態の物品収容容器３００では、図１ないし図６に示すように、収容容器本体１５０の四つの側部１５１〜１５４から底部１５５まで、複数の補強リブ１５６が形成されており、底部１５５にも、二重の矩形の環状の補強リブ１５７が形成されていることを例示した。
【０１０１】
しかしながら、図１６ないし図２１に例示する物品収容容器４００のように、収容容器本体１５０の四つの側部１５１〜１５４から底部１５５まで、複数の補強リブ１５６が形成されておらず、底部１５５にも、補強リブ１５７が形成されていなくともよい。
【０１０２】
さらに、上記形態の物品収容容器３００では、第三容器端部３３０および第四容器端部３４０の上面３３２，３４２が平面状に形成されており、上下逆様に安定に載置してスタックすることができることを例示した。
【０１０３】
しかしながら、図２２に例示する物品収容容器５００のように、第三容器端部５３０および第四容器端部５４０の上面５３２，５４２が円弧状の湾曲面状に形成されていてもよい。
【０１０４】
この物品収容容器５００では、複数の自然生成物品ＮＢＧを収容した収容容器本体１５０を封止する封止フィルム２００が張架方向で円弧状に湾曲しても、第三フィルム縁部２３０または第四フィルム縁部２４０と第三容器端部５３０または第四容器端部５４０との間隙を最小とすることができる。
【０１０５】
また、上記形態の物品収容容器３００では、封止フィルム２００の第三フィルム縁部２３０および第四フィルム縁部２４０と個々に対向する第三容器端部３３０および第四容器端部３４０が、前後方向から視認したときに台形状に上方に突出していることを例示した。
【０１０６】
しかしながら、図２３に例示する物品収容容器６００のように、第三容器端部６３０および第四容器端部６４０が、収容容器本体１５０の角部から第一容器端部１１０および第二容器端部１２０の両側まで連続的に形成されていてもよい。
【０１０７】
さらに、上記形態の物品収容容器３００では、第三容器端部３３０および第四容器端部３４０の上面３３２，３４２が単純な平面状に形成されていることを例示した。しかしながら、図２４に例示する物品収容容器７００のように、第三容器端部７３０および第四容端部７４０が複数に分断されていてもよい。
【０１０８】
特に、例示する物品収容容器７００では、イチゴなどの自然生成物品ＮＢＧを左右方向に三列に収容することを想定しており、第三容器端部７３０および第四容端部７４０が左右方向に三つに分断されているので、三列に収容された自然生成物品ＮＢＧを三つに分断された第三容器端部７３０および第四容端部７４０で個々に良好に保持することができる。
【０１０９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【０１１０】
１００，３００，４００，５００，６００，７００  物品収容容器
１１０  第一容器端部
１２０  第二容器端部
１３０，３３０，４３０，５３０，６３０，７３０  第三容器端部
１４０，３４０，４４０，５４０，６４０，７４０  第四容器端部
１５０  収容容器本体
１５８  開口部分
２００  封止フィルム
２１０  第一フィルム縁部
２２０  第二フィルム縁部
２３０  第三フィルム縁部
２４０  第四フィルム縁部
【図１】
2014015226.tif 000003
【図２】
2014015226.tif 000004
【図３】
2014015226.tif 000005
【図４】
2014015226.tif 000006
【図５】
2014015226.tif 000007
【図６】
2014015226.tif 000008
【図７】
2014015226.tif 000009
【図８】
2014015226.tif 000010
【図９】
2014015226.tif 000011
【図１０】
2014015226.tif 000012
【図１１】
2014015226.tif 000013
【図１２】
2014015226.tif 000014
【図１３】
2014015226.tif 000015
【図１４】
2014015226.tif 000016
【図１５】
2014015226.tif 000017
【図１６】
2014015226.tif 000018
【図１７】
2014015226.tif 000019
【図１８】
2014015226.tif 000020
【図１９】
2014015226.tif 000021
【図２０】
2014015226.tif 000022
【図２１】
2014015226.tif 000023
【図２２】
2014015226.tif 000024
【図２３】
2014015226.tif 000025
【図２４】
2014015226.tif 000026
【図２５】
2014015226.tif 000027
【図２６】
2014015226.tif 000028
【図２７】
2014015226.tif 000029
【図２８】
2014015226.tif 000030
【図２９】
2014015226.tif 000031
【図３０】
2014015226.tif 000032
【図３１】
2014015226.tif 000033
【図３２】
2014015226.tif 000034
【図３３】
2014015226.tif 000035
【図３４】
2014015226.tif 000036